(57)【要約】【課題】ディスク装置の位置を良好に調節可能なディスク装置の取り付け構造を提供する。【解決手段】ディスク装置の取り付け構造１は、シャーシ２１とディスク装置２との当接部の間に、シャーシ２１の取り付け面２２を切り起して形成され、ディスク装置２を押圧する弾性部２４を介在させる。【選択図】図３
2010113784.tif 000002
【特許請求の範囲】
【請求項１】
シャーシにディスク装置をねじ止めしてなるディスク装置の取り付け構造において、
前記シャーシと前記ディスク装置との当接部の間に、前記シャーシを切り起して形成され、前記ディスク装置を前記シャーシから離隔させるよう付勢する弾性部を介在させたことを特徴とするディスク装置の取り付け構造。
【請求項２】
前記弾性部は、前記ディスク装置のねじ止め部の近傍に形成されることを特徴とする請求項１に記載のディスク装置の取り付け構造。
【請求項３】
前記弾性部及び前記ねじ止め部を複数有することを特徴とする請求項２に記載のディスク装置の取り付け構造。
【発明の詳細な説明】
【技術分野】
【０００１】
本発明は、ディスク装置の取り付け構造に関する。
【背景技術】
【０００２】
ＣＤ等の回転記録メディアを読み取るディスク装置を筐体に収めて使用するため、シャーシにディスク装置を固定するディスク装置の取り付け構造が知られている。
【０００３】
図１０に、従来のディスク装置の取り付け構造１００の一例を示す。
ディスク装置の取り付け構造１００は、ディスク装置２と、シャーシ１２１と、フロントパネル３１と、を有する。
シャーシ１２１にはフロントパネル３１が固定されている。そして、ディスク装置２がシャーシ１２１の取り付け面１２２にねじ止め固定される。このとき、ディスク装置２のトレー３がフロントパネル３１に設けられた開口部３２から出没可能となる位置に固定される。つまり、ディスク装置２とフロントパネル３１との位置関係は、取り付け面１２２に対するディスク装置２の位置によって決定される。以降の説明において、トレー３がフロントパネル３１に対して突出する側に位置するトレー３及びフロントパネル３１の面を前面と称する。
【０００４】
ディスク装置２をシャーシに固定する構造として、ディスク装置２とシャーシ１２１との当接位置に略Ｌ字形状の引っかけ部を設けてディスク装置２をシャーシ１２１に係合させることで固定する方法も知られている（例えば特許文献１）。
【０００５】
ところで、ディスク装置の取り付け構造１００の各部は、整形時に各部品間で誤差を生じることがある。そして、当該誤差により、シャーシ１２１に固定されたディスク装置２のトレー３とフロントパネル３１とが位置ずれを生じることがある。位置ずれとしては、例えばフロントパネル３１の前面における開口部３２の形状に対してトレー３の前面が斜めとなるものや、開口部３２とトレー３とのクリアランスに偏りが生じるもの等が挙げられる。位置ずれは、トレー３が開口部３２に対して摺接することによりトレー３の出没動作を阻害する問題となる。トレー３が開口部３２に摺接するほどの位置ずれを生じていなかったとしても、位置ずれはフロントパネル３１前面の美観を損なう。特に、トレー３の前面に化粧板（図示略）を設ける等トレー３の前面をフロントパネル３１の前面のデザインの一部として用いる場合、位置ずれはデザインを大幅に損ねる問題となる。特許文献１のディスク装置の取り付け構造では、この位置ずれをなくすためのディスク装置２のシャーシ１２１に対する位置調節ができない。
【０００６】
そこで、ディスク装置２とフロントパネル３１とを当接させると共に、ディスク装置２とフロントパネル３１との当接面のそれぞれに位置決めのための係合部として互いに噛み合う凸部を一方に、凹部を他方に設けてフロントパネル３１に対するディスク装置２の位置をガイドする方法が知られている（例えば特許文献２）。
【特許文献１】特開２００７−２８７２６４号公報
【特許文献２】特開平１０−１６２５６６号公報
【発明の開示】
【発明が解決しようとする課題】
【０００７】
しかしながら、特許文献２のディスク装置の取り付け構造では、位置ずれを防止できない場合がある。なぜならば、ディスク装置２とシャーシ１２１との間に誤差が生じていた場合、ディスク装置２とフロントパネル３１との係合に基づくディスク装置２の位置決めを行うと、ディスク装置２をシャーシ１２１の取り付け面１２２に当接させることができず、ねじ止めを良好に行えない場合があるためである。つまり、ディスク装置２が取り付け面１２２に対して浮いた状態となってしまう。この場合、ディスク装置２はシャーシ１２１に対してがたつきを生じ、ディスク装置２及びトレー３もフロントパネル３１に対してがたつきを生じることとなり、位置ずれを防止できない。
【０００８】
ディスク装置２とシャーシ１２１とのがたつきを防止する場合、従来はディスク装置２とシャーシ１２１との間にスペーサ等を設けてディスク装置２と取り付け面１２２との間の隙間を埋めていた。スペーサを設けることで、取り付け面１２２に対するディスク装置２の高さ（図１０の縦方向の位置）を調節することも可能であり、当該高さ調節によって位置ずれを解消または緩和することができる場合もある。しかしながら、スペーサによる隙間の調節はスペーサの厚さに基づくため融通が利かず、微調整ができない。このため、スペーサによるディスク装置２の高さ調節ではディスク装置２のフロントパネル３１に対する位置を良好に調節できず、結果としてトレー３とフロントパネル３１の開口部３２との位置ずれを生じてしまうことがある。
【０００９】
本発明は、ディスク装置の位置を良好に調節可能なディスク装置の取り付け構造を提供することを目的とする。
【課題を解決するための手段】
【００１０】
請求項１記載の発明は、シャーシにディスク装置をねじ止めしてなるディスク装置の取り付け構造において、前記シャーシと前記ディスク装置との当接部の間に、前記シャーシを切り起して形成され、前記ディスク装置を前記シャーシから離隔させるよう付勢する弾性部を介在させることを特徴とする。
【００１１】
請求項２記載の発明は、請求項１記載のディスク装置の取り付け構造において、前記弾性部は、前記ディスク装置のねじ止め部の近傍に形成されることを特徴とする。
【００１２】
請求項３記載の発明は、請求項２に記載のディスク装置の取り付け構造において、前記弾性部及び前記ねじ止め部を複数有することを特徴とする。
【発明の効果】
【００１３】
本発明によれば、ディスク装置の位置を良好に調節可能なディスク装置の取り付け構造を提供することができる。
【発明を実施するための最良の形態】
【００１４】
以下、図を参照して本発明の実施の形態を詳細に説明する。
図１に、本発明の実施形態によるディスク装置の取り付け構造１の全体構成を示す。図２に、図１とは別の角度からディスク装置の取り付け構造を示す。
ディスク装置の取り付け構造１は、シャーシ２１と、フロントパネル３１と、を備える。ディスク装置２はシャーシ２１にねじ止めされることでフロントパネル３１に対して位置を決定され、ディスク装置２のトレー３がフロントパネル３１の開口部３２から出没可能となるよう位置決めされることは従来のディスク装置の取り付け構造１００と同様である。シャーシ２１は金属製である。
以降の説明において、トレー３に対してディスク（図示略）を載置する側を上方、その反対を下方とし、シャーシ２１に対してフロントパネル３１が設けられた側を前方、その反対を後方とする。そして、前後方向及び上下方向に直交する方向を側方（図６に示す右方及び左方）とする。
【００１５】
ディスク装置２は、その両側面のそれぞれから下方に２本ずつ延出された計４本の脚部４を有し、脚部４がシャーシ２１の取り付け面２２にねじ止めされる。
【００１６】
図３に、脚部４付近の構成の分解斜視図を示す。図４に、脚部４付近の構成の分解側面図を示す。
脚部４は、その下端部にねじ穴５を有する。さらに、ねじ穴５の下方に位置する取り付け面２２にはねじ穴２３が設けられており、ねじ４１がねじ穴５及びねじ穴２３に螺合する。
【００１７】
図４に示すように、シャーシ２１の取り付け面２２は板金状であり、その上面にディスク装置２がねじ止めされる。脚部４は樹脂製である。
図３、図４に示すように、取り付け面２２はねじ穴２３の近傍に弾性部２４を有する。弾性部２４は、取り付け面２２に施されたコの字の切欠に囲われた部分であり、弾性部２４の先端側は外部からの力を受けない場合に取り付け面２２に対して上方に切り起される。つまり、弾性部２４は取り付け面２２に対して傾斜する。弾性部２４は、脚部４の下方に位置するよう設けられる。このとき、弾性部２４及びねじ穴２３は、弾性部２４とねじ穴２３の位置が重ならないよう設けられる。
【００１８】
図５に、ねじ止めされたディスク装置２を示す。図５（ａ）はディスク装置２と取り付け面２２との間に隙間がある場合、図５（ｂ）はディスク装置２と取り付け面２２との間に隙間がない場合を示す。
図５（ａ）に示すように、ねじ４１による螺合が脚部４の下面と取り付け面２２の上面との当接に至らない程度である場合、即ち脚部４の下面と取り付け面２２の上面との間に隙間がある場合、弾性部２４の先端側は取り付け面２２から隆起して脚部４の下面に当接する。このとき、弾性部２４はねじ４１と協働で脚部４を支持する。即ち、ねじ４１の螺合によって取り付け面２２に対する上下位置を決定する脚部４の下面によって弾性部２４の先端側は上方から押圧され、ねじ４１の螺合の程度に応じて決定する脚部４の下面と取り付け面２２の上面との間の隙間の最大幅分だけ隆起する状態まで押し下げられる。このとき、弾性部２４は金属弾性により取り付け面２２から脚部４の下面を離隔させるよう付勢、即ち押し上げるように作用するが、脚部４はねじ４１の螺合の程度に応じて決定する脚部４の下面と取り付け面２２の上面との間の隙間の最大幅を越えて上方に移動することはないので、脚部４は弾性部２４の押し上げ力を受けて保持される状態となり、これによって支持される。
【００１９】
一方、図５（ｂ）に示すように、即ち脚部４の下面と取り付け面２２の上面との間に隙間が生じない程にねじ４１による螺合が行われている場合、弾性部２４は脚部４に上方から押圧されて取り付け面２２の上面に沿った上下位置まで押し下げられる。なお、ねじ４１を緩めた場合、押し下げられていた弾性部２４は再び隆起する。
【００２０】
つまり、弾性部２４は、ねじ４１による脚部４と取り付け面２２との螺合の度合いに応じて生じる脚部４の下面と取り付け面２２の上面との間の隙間の上下方向の幅に応じた上下位置にその先端部を隆起させ、脚部４の下面と当接してねじ４１と協働で脚部４を支持する。言い換えれば、ディスク装置２は取り付け面２２に対する上下位置について、弾性部２４の先端部が隆起して脚部４の下面と当接可能な位置を上限、取り付け面２２の上面の位置を下限とした範囲で任意に調節することができる。これによって、シャーシ２１に対するディスク装置２の上下位置を調節でき、シャーシ２１に固定されたフロントパネル３１に対するディスク装置２のトレー３の上下位置を調節できることとなる。
【００２１】
脚部４の下面と取り付け面２２の上面との間の隙間の調節は、計４本の脚部４のそれぞれのねじ止めについて個別に行うことができ、ディスク装置２の上下方向の位置に加えて、各脚部の上下位置を調節することで取り付け面２２に対する前後方向及び左右方向の傾きについても調節可能である。
【００２２】
次に、ディスク装置の取り付け構造１の組立工程におけるトレー３の前面とフロントパネル３１の開口部３２との位置合わせの一例について説明する。
図６に、トレー３の前面とフロントパネル３１の開口部３２の位置関係の一例を示す。図６（ａ）はトレー３と開口部３２とのクリアランスがトレー３の前面四方で均等である場合、図６（ｂ）はトレー３と開口部３２とのクリアランスが上下で偏っている場合、図６（ｃ）はトレー３が開口部３２に対して傾きを生じている場合を示す。
まず、ディスク装置２の脚部４をシャーシ２１の取り付け面２１にねじ止めする。ねじ止めの度合い、即ち脚部４の下面と取り付け面２２の上面との隙間は任意の間隔でよいが、脚部４が弾性部２４及びねじ４１によって支持されてディスク装置２がシャーシ２１に対してがたつきを生じない状態であることが望ましい。
【００２３】
このとき、フロントパネル３１の開口部３２の内側にトレー３の前面が位置するよう設けられるが、ディスク装置の取り付け構造１の各部の加工精度によってはトレー３の前面が開口部３２の内側に収まらない場合や、図６（ｂ）に示すようにトレー３と開口部３２とのクリアランスがトレー３の上下で著しく異なる偏りを生じる場合がある。このような場合、ねじ４１によるねじ止めの度合いを調節してディスク装置２の上下位置を調節して、図６（ａ）に示すようにトレー３が開口部３２の内側に良好に収まる位置となるよう調節する。このときの上下位置調節で脚部４の下面と取り付け面２２の上面との間に隙間が生じても、弾性部２４による脚部４に対する押し上げ力とねじ４１による螺合との協働により脚部４が支持されるのでディスク装置２はシャーシ２１に対してがたつきを生じず、ディスク装置２がフロントパネル３１に対してがたつきを生じることはない。
【００２４】
ディスク装置の取り付け構造１の各部の加工精度によっては図６（ｃ）に示すようにトレー３の前面形状が開口部３２の前面形状に対して傾きを生じることがあるが、このような場合にはトレー３の傾きにおいて上がり肩側となっている一方の脚部４（図６（ｃ）の左側）の上下位置を下げ、他方の脚部４（図６（ｃ）の右側）を上げるよう調節する。
【００２５】
本実施形態によれば、取り付け面２２にねじ止めされる脚部４の下方に設けられた弾性部２４が取り付け面２２から脚部４を離隔させるよう付勢することで、弾性部２４による脚部４に対する押し上げ力とねじ４１による螺合との協働により脚部４が支持される。これによって脚部４の下面と取り付け面２２の上面との間に隙間が生じてもディスク装置２がシャーシ２１に対してがたつきを生じることはない。即ち、トレー３とフロントパネル３１の開口部３２との位置合わせのために脚部４の下面とシャーシ２１に隙間が生じる上下位置でディスク装置２をシャーシ２１に良好に位置決めすることができる。加えて、弾性部２４の先端部の上下位置は、ねじ４１による螺合の度合いに応じた脚部４の下面の上下位置に応じて押し下げられることで柔軟に変化するので、ねじ４１による螺合の度合いを変化させるだけでシャーシ２１に対するディスク装置２の上下位置を任意に調節することができ、ディスク装置２の位置を良好に調節可能となる。即ち、トレー３とフロントパネル３１の開口部３２との位置合わせのためのディスク装置２の位置の調節を容易かつ良好に行うことができる。
さらに、ディスク装置２をシャーシ２１にねじ止めしてから螺合の度合いを調節してディスク装置２の位置を調節できるので、ディスク装置２の位置調整のためにディスク装置２をシャーシ２１から取り外し、再度取り付ける等の煩雑な作業を要せず、ディスク装置２の位置、フロントパネル３１の開口部３２に対するトレー３の位置の微調整を容易に行うことができる。
さらに、ディスク装置２の位置調整のためにスペーサ等の別部品をディスク装置２とシャーシ２１との間に介在させる必要がないので、ディスク装置２のシャーシ２１に対する取り付け作業が容易となることに加え、部品点数を削減でき、コスト減を実現できる。
【００２６】
さらに、弾性部２４はねじ４１によるねじ止め位置の近傍に設けられるので、ねじ４１によるディスク装置２とシャーシ２１とを引き寄せる方向の付勢と弾性部２４によるディスク装置２とシャーシ２１とを離隔させる方向との付勢とが協働してディスク装置２の位置決めを行う効果をより確実、良好に得られる。加えて、ねじ止めの度合いの調節に応じた弾性部２４の隆起の度合いの調節、即ちディスク装置２の位置調節をより良好に行うことができる。
【００２７】
さらに、ねじ止め位置となる脚部４、穴５ならびにシャーシ２１の穴２３、弾性部２４は複数設けられるので、各箇所のディスク装置２のシャーシ２１に対する位置を調節することで、各ねじ止め位置間のディスク装置２の傾きについても調節することができる。このため、例えばディスク装置２やシャーシ２１の部品精度等によりシャーシ２１に対するディスク装置の単純なねじ止めでは傾きが生じる場合であっても、各箇所のねじ止めの度合いを調節することでディスク装置２のシャーシ２１に対する傾きを補正することができる。
【００２８】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２９】
図７に、他の実施形態によるディスク装置の取り付け構造５１における弾性部６４の形状を示す。前述の実施形態と同様の構成については同じ符号を付して説明を省略する。シャーシ６１は、前述の実施形態におけるシャーシ２１と同様、金属製である。
【００３０】
弾性部６４は、シャーシ６１に設けられた切欠を境に取り付け面６２から隆起するよう設けられている。弾性部６４は、取り付け面６２に対して上方に傾斜する傾斜部６５と、傾斜部６５から先端部にかけて取り付け面６２とほぼ平行に設けられた平行部６６とを有する。弾性部６４は、平行部６６がディスク装置２の脚部４の下面と当接することでディスク装置２を支持する。
【００３１】
このとき、平行部６６はその上面部によって脚部４を支持するので、前述の実施形態における弾性部２４の先端部のみで当接する場合に比してより安定性の高い支持を行える。加えて、傾斜部６５の傾斜始点から傾斜終点までの距離が弾性部６４全体よりも短いので、ねじ４１の螺合の度合いによって生じる脚部４による弾性部６４の押し下げ時に、脚部４が弾性部６４を押し下げる作用する作用点と、てこの支点となる傾斜部６５の下端部との距離が短くなり、弾性部６４に対して働く押し下げ力が前述の実施形態における弾性部２４に比して小さくなる。このため、弾性部６４は弾性部２４に比して大きい押し上げ力をディスク装置２に作用させることができ、ディスク装置２をより安定支持することができる。
【００３２】
弾性部は、取り付け面から隆起してディスク装置とシャーシの間に隙間が生じる場合にディスク装置を支持するよう作用すればよく、その限りにおいて配置や形状は限定されない。
【００３３】
図８に、上方から見た場合の脚部４と弾性部２４との位置関係の一例を示す。図８（ａ）は弾性部２４の全体が脚部４の下方に位置する場合、図８（ｂ）は弾性部２４の先端側のみが脚部４の下方に位置する場合、図８（ｃ）は弾性部２４の先端の一部が脚部４の下面と当接する場合を示す。
図９に、側方から見た場合の脚部４と弾性部２４との位置関係を示す。図９（ａ）は弾性部２４の全体が脚部４の下方に位置する場合、図９（ｂ）は弾性部２４の先端側のみが脚部４の下方に位置する場合を示す。なお、図９（ａ）、（ｂ）では穴２３を省略している。
弾性部２４は、少なくともその先端部の一部が脚部４の下面に当接可能に設けられていればよい。例えば、図８（ａ）及び図９（ａ）に示すように弾性部２４の全体が脚部４の下方に位置してもよいし、図８（ｂ）及び図９（ｂ）に示すように弾性部２４の先端側のみが脚部４の下方に位置してもよい。図８（ｃ）に示すように弾性部２４の先端の一部が脚部４の下面と当接するよう設けてもよい。図８（ａ），（ｂ），（ｃ）及び図９（ａ），（ｂ）の各図では弾性部２４について記載しているが、他の形態による弾性部（例えば弾性部６４等）の位置についても弾性部２４と同様である。
【００３４】
弾性部２４及び６４は、上方から見た場合の形状が矩形であるが、他の形状でもよい。例えば先端側が半円形であってもよいし、その他の形状であってもよい。
前述の実施形態におけるシャーシ２１、６１は金属製であり、弾性部２４、６４は金属が有する弾性によりディスク装置２を支持するが、同等の強度、弾性を有する素材によってシャーシを設けてもよい。ディスク装置のシャーシに取り付けられる部分（例えば脚部等）は樹脂製に限らず、他の素材によってもよい。
【００３５】
弾性部２４が設けられるシャーシの厚みは、要求される強度や弾性に応じて任意の厚みとすることができる。
【００３６】
また、実施形態ではディスク装置のトレーとフロントパネルの開口部との位置合わせについての説明に留まっているが、ディスク装置が備える他の構成の位置合わせについても同様に行える。例えば、ディスク装置が前方に端子（例えばイヤホンジャック等）を備えており、フロントパネルに設けられた穴（例えばジャック挿入口等）との位置合せを行う場合等が挙げられる。
【図面の簡単な説明】
【００３７】
【図１】本発明の実施形態によるディスク装置の取り付け構造の全体構成を示す斜視図である。
【図２】図１とは別の角度からディスク装置の取り付け構造を示す図である。
【図３】脚部付近の構成の分解斜視図である。
【図４】脚部付近の構成の分解側面図である。
【図５】ねじ止めされたディスク装置を示す図である。図５（ａ）はディスク装置と取り付け面との間に隙間がある場合、図５（ｂ）はディスク装置と取り付け面との間に隙間がない場合を示す。
【図６】トレーの前面とフロントパネの開口部の位置関係の一例を示す図である。図６（ａ）はトレーと開口部とのクリアランスがトレーの前面四方で均等である場合、図６（ｂ）はトレー３と開口部とのクリアランスが上下で偏っている場合、図６（ｃ）はトレーが開口部に対して傾きを生じている場合を示す。
【図７】他の実施形態によるディスク装置の取り付け構造における弾性部の形状を示す図である。
【図８】上方から見た場合の脚部と弾性部との位置関係の一例を示す図である。図８（ａ）は弾性部の全体が脚部の下方に位置する場合、図８（ｂ）は弾性部の先端側のみが脚部の下方に位置する場合、図８（ｃ）は弾性部の先端の一部が脚部の下面と当接する場合を示す。
【図９】側方から見た場合の脚部と弾性部との位置関係を示す図である。図９（ａ）は弾性部の全体が脚部の下方に位置する場合、図９（ｂ）は弾性部の先端側のみが脚部の下方に位置する場合を示す。
【図１０】従来のディスク装置の取り付け構造の一例を示す図である。
【符号の説明】
【００３８】
２  ディスク装置
３  トレー
４  脚部
２１、６１  シャーシ
２４、６４  弾性部
３１  フロントパネル
３２  開口部
【図１】
2010113784.tif 000003
【図２】
2010113784.tif 000004
【図３】
2010113784.tif 000005
【図４】
2010113784.tif 000006
【図５】
2010113784.tif 000007
【図６】
2010113784.tif 000008
【図７】
2010113784.tif 000009
【図８】
2010113784.tif 000010
【図９】
2010113784.tif 000011
【図１０】
2010113784.tif 000012